(57)【要約】【課題】  厚みの異なる２つの遊技盤で内枠を共通に使用すること。【解決手段】  内枠３の後壁１０には前面位置を嵩上げするための突出部１１が形成されている。この突出部１１は径が異なるように基部突起１２と係合突起１５が形成されており、第一の厚みの遊技盤の時は内枠の後壁１０と基部突起１２で支持され、第二の厚みの遊技盤の時には基部突起１２の前面１２ａと係合突起１５で支持される。この突出部１１によりベニヤの遊技盤の前面位置が同一とすることが可能となるため、第一の厚みの遊技盤および第二の厚みの遊技盤が内枠３を共通に使用することができる。【選択図】  図４
2010029576.tif 000002
【特許請求の範囲】
【請求項１】
第一の厚みを有する第一遊技盤と、前記第一の厚みより薄い第二の厚みを有する第二遊技盤とが、相互的に前方から着脱可能な内枠を備えた遊技機であって、
前記内枠は、前記第一遊技盤が取り付けられた時に、前記第一遊技盤の背面に当接し、該第一遊技盤を支持する後壁と、該後壁から前方へ所定の高さ突出し、自身の全体又は一部との干渉を回避するために前記第一遊技盤に設けられる空間部に収納される突出部とを備え、
前記内枠に前記第二遊技盤が取り付けられた時には、前記第二遊技盤の背面が前記突出部に当接するとともに前記後壁から嵩上して該第二遊技盤を支持し、
前記第二遊技盤の前面位置が前記第一遊技盤の前面位置と同一面に形成されることを特徴とする遊技機。
【請求項２】
前記突出部は、突起形態をなし、前記後壁から立ち上がる基部突起と、該基部突起の前面の内側で、前方へ突出する係合突起とで形成され、
前記第二遊技盤には、前記係合突起に対応して、厚み方向に延びる有底または貫通する係合部が設けられ、
前記内枠に前記第一遊技盤が取り付けられる時に、前記基部突起が前記空間部と係合して、前記第一遊技盤の盤面方向の位置を保持し、
前記内枠に前記第二遊技盤が取り付けられる時には、該第二遊技盤の背面が前記基部突起の前面に当接するとともに、前記係合突起が前記係合部と係合して、前記第二遊技盤の盤面方向の位置を保持する請求項１記載の遊技機
【発明の詳細な説明】
【技術分野】
【０００１】
本発明は、ぱちんこ機等の遊技機に関する。
【背景技術】
【０００２】
ぱちんこ機などの遊技機には、外枠に対して開閉可能な内枠に遊技盤が着脱可能に組み付けられ、該内枠には前面枠が開閉可能に設けられている。近年、遊技盤においては、従来のベニヤ遊技盤のほかにベニヤ遊技盤より厚みの薄いアクリル製の遊技盤が使用されることがある。アクリル製の遊技盤は、透明性を有しており、遊技盤の後方側にも演出装置が用いられることが多く、限られたスペースを少しでも広げ、ダイナミックな演出をさせるために遊技盤を薄く設定している。また、アクリル製の遊技盤はベニヤ遊技盤に比べてコスト高らやすく、かつ高重量になるため薄く設定されている。そして、遊技場において、台入れ替え（機種変更）をする際には、遊技盤だけを入れ替えることが行われている。しかしながら、内枠を共通にする場合、遊技球の発射の関係上、遊技盤の盤面（前面）を一定にする必要がある。したがって内枠に対して前方から遊技盤を取り付けると、遊技盤の背面が基準となるため、盤面の前面位置がズレ、内枠に取り付けることができず、汎用性にかけていた。そこで遊技盤を交換する際に厚みが異なる遊技盤が用いられても共通に使用できる内枠を用いたぱちんこ機が求められている。
【０００３】
このような遊技機としては、例えば、厚みの薄い遊技盤（アクリル）の背面に遊技盤の厚さ寸法を調節する調節部材を重合するように設け、遊技盤と調節部材を共に遊技機枠に固定することで、遊技盤の盤面（前面）を一定にし、遊技機枠を共用化させるものがある（特許文献１参照）。
【特許文献１】特開２００７−１３５６８６号公報
【発明の開示】
【発明が解決しようとする課題】
【０００４】
このような遊技機では、厚みの薄い遊技盤（アクリル）と調節部材を重ねることによって従来の遊技盤（べニア）の厚み寸法に合わせられ、遊技盤の盤面（前面）を一定にし、内枠に取り付けてられているので、遊技盤の厚みが異なる場合でも内枠を共通に使用することができている。しかしながら、遊技盤の厚み寸法を調節するために調節部材が必要であり、部品点数の増加により、コストがかかるだけでなく、取り付けに手間もかかっている。
【０００５】
また、調節部材は、内枠と遊技盤との間に設けられるので、遊技機に対する奥行き方向のスペースが必然的に狭くなり、遊技機の構造設計の自由度を阻害している。
【０００６】
本発明の課題は、上記実情に鑑みてなされたものであり、内枠を共通化した場合にも、異なる厚みの遊技盤を用いる事ができるとともに、内枠の内部スペースを確保しつつ、遊技盤を簡単に取り付けられる遊技機を提供することにある。
【課題を解決するための手段】
【０００７】
上記課題を解決するために、請求項１記載の本発明による遊技機は、
第一の厚みを有する第一遊技盤と、前記第一の厚みより薄い第二の厚みを有する第二遊技盤とが、相互的に前方から着脱可能な内枠を備えた遊技機であって、
前記内枠は、前記第一遊技盤が取り付けられた時に、前記第一遊技盤の背面に当接し、該第一遊技盤を支持する後壁と、該後壁から前方へ所定の高さ突出し、自身の全体又は一部との干渉を回避するために前記第一遊技盤に設けられる空間部に収納される突出部とを備え、
前記内枠に前記第二遊技盤が取り付けられた時には、前記第二遊技盤の背面が前記突出部に当接するとともに前記後壁から嵩上して該第二遊技盤を支持し、
前記第二遊技盤の前面位置が前記第一遊技盤の前面位置と同一面に形成されることを特徴とする。
【０００８】
請求項２記載の本発明によれば、前記突出部は、突起形態をなし、前記後壁から立ち上がる基部突起と、該基部突起の前面の内側で、前方へ突出する係合突起とで形成され、
前記第二遊技盤には、前記係合突起に対応して、厚み方向に延びる有底または貫通する係合部が設けられ、
前記内枠に前記第一遊技盤が取り付けられる時に、前記基部突起が前記空間部と係合して、前記第一遊技盤の盤面方向の位置を保持し、
前記内枠に前記第二遊技盤が取り付けられる時には、該第二遊技盤の背面が前記基部突起の前面に当接するとともに、前記係合突起が前記係合部と係合して、前記第二遊技盤の盤面方向の位置を保持することを特徴とする。
【発明の効果】
【０００９】
請求項１記載の本発明による遊技機によれば、内枠の後壁には、後壁から前方へ所定の高さ突出する突出部が形成され、内枠に第一遊技盤を取り付ける時、突出部は、その第一遊技盤に形成される空間部に収納される。そして、内枠に第二遊技盤が取り付けられる時には、第二遊技盤の背面が突出部に当接して、後壁から第二遊技盤を嵩上することにより、第二遊技盤の前面位置が第一遊技盤の前面位置と同一に形成される。これによれば、内枠に突出部を設けるだけという簡単な構造により、厚みの薄い第二遊技盤を取り付けた場合には、嵩上げして第一遊技盤の前面位置（盤面位置）とを同一できるので、内枠を共通化することができる。
【００１０】
また、突出部は内枠に形成されているので嵩上げ用の調節部材が必要なく、第二遊技盤に対しての高さが調節され、内枠に遊技盤を取り付けることが可能になり、部品点数を減らすことができる。ひいては、コストの低減を図ることが可能となる。
【００１１】
また、突出部により、厚みの薄い第二遊技盤は嵩上げして取付けられるので、遊技盤の大型化や遊技盤ユニットにおけるスペースの拡大ができる。ひいては、遊技機全体に対する構造設計の自由度を増やすことができる。
【００１２】
請求項２記載の本発明による遊技機によれば、突出部は、基部突起と係合突起とを形成する突起形態をなし、内枠に第一遊技盤が取り付けられる時に、基部突起が空間部と係合して、内枠に第二遊技盤が取り付けられる時には、その第二遊技盤の背面が基部突起の前面に当接するとともに、係合突起が係合部に係合する。これによれば、突出部は基部突起と係合突起に形成されているので、基部突起、係合突起に対応して夫々の遊技盤の空間部、貫通又は有底の係合部とが係合されるので、厚みの異なる２つの遊技盤を使用した場合にも、それぞれの前面位置が同一にできるだけでなく、盤面方向に対する位置決めとしても兼用できるので、内枠に別途位置決めを形成する必要がなくなる。ひいては、コストの増加を抑えることが可能となる。
【発明を実施するための最良の形態】
【００１３】
以下に、この発明の実施形態を図面に基づいて説明する。図１は本発明の実施形態に係る遊技機の一例を示す正面図、図２は本発明における実施形態に係る遊技機の側断面図、図３は図２の要部拡大図である。
【００１４】
図１及び図２に示すように、遊技機（以下、ぱちんこ機１ともいう）には、外形をなす外枠１ａに対して内枠３が開閉可能に取り付けられ、内枠３には、盤面２ａに遊技領域２ｂが形成された遊技盤（第一遊技盤２０ともいう）が収容され、該第一遊技盤２０に対して前面を覆うように前面枠５が開閉可能に取り付けられている。
【００１５】
前面枠５の中央部には、遊技領域２ｂを覆う複層ガラス８が設けられている。前面枠５の下方には貸球や賞球等の遊技球を一時的に貯留する上皿６を形成している。また、ぱちんこ機１には、上皿６に貯留された遊技球を球発射装置７が第一遊技盤２０（遊技領域２ｂ）内に発射する際に、遊技者が操作する発射ハンドル４が配置されている。また、内枠３の背面側には、遊技球を貯留する球タンク３ａや払出装置（図示せず）などの制御基板が収納された基板ケース４ａなどが設けられている。
なお、本明細書において、ぱちんこ機１における盤面方向とは第一遊技盤２０の盤面２ａに沿う態様で遊技球が流下する方向（鉛直方向）又は上下方向に直交する方向（水平方向）を意味する。また、厚み方向とは第一遊技盤２０の盤面２ａに直交する方向（前後方向）を意味し、盤面２ａの遊技者側が前方であり、盤面２ａの奥側が後方である。
【００１６】
次に、内枠３について詳しく説明する。図２ないし図４に示すように、内枠３は、第一の厚み（例えばベニヤなどの合板）を有する第一遊技盤２０と第一遊技盤２０より厚みの薄い第二の厚み（例えばアクリルなどの樹脂板）を有する第二遊技盤３０が相互的に着脱可能に設けることができる。内枠３は前後面が開口する枠形状をなし、第一遊技盤２０，第二遊技盤３０を前方から取り付けられる収容空間を有する。また、その収容空間は第一遊技盤２０を取り付けたときに、第一遊技盤２０の側面に対向する上下左右の収容壁９と第一遊技盤２０の背面側を受け支える後壁１０とを備えている。
【００１７】
後壁１０は、第一遊技盤２０の背面２０ａと当接支持して前後方向おける位置決めの基準面として形成されている。そして、後壁１０から前方に向かって突出する複数(例えば４箇所)の突起１１（突出部）が一体的に形成されている。
【００１８】
具体的には、突起１１（突出部）は、後壁１０の四隅に設けられ、図３に示すように、後壁１０から所定の高さ（例えば第一遊技盤２０と第二遊技盤３０の厚みの差分）突出する基部突起１２と、その基部突起１２の径より小径で前面１２ａの内側から前方に突出する係合突起１５により、前後２段の段付き円筒形状に形成されている。
【００１９】
ここで、第一遊技盤２０は、ベニヤなどの合板で形成され、図１ないし図４（ａ）に示すように、第一の厚みＦ（例えば１９ｍｍ）を有し略方形状に形成されている。また、第一遊技盤２０の盤面２ａ（前面）には、遊技領域２ｂが形成されており、この遊技領域２ｂは外周縁に沿って円弧状のガイドレール２ｃによって区画されている。そして、遊技領域２ｂの中央には、液晶表示部２ｄが搭載され、その液晶表示部２ｄの下方（遊技領域２ｂの中央下部）に大入賞装置２ｅが配置されている。また、液晶表示部２ｄと大入賞装置２ｅとの間には、始動入賞装置２ｆが配置されている。そして、第一遊技盤２０には、基部突起１２に対応するように、遊技領域２ｂ外に厚み方向に貫通する貫通孔２１（空間部）が形成されている。この貫通孔２１（空間部）は、突起１１（突出部）との干渉を回避するように形成されている。
【００２０】
さらに、第一遊技盤２０には、内枠３の後壁１０の基部突起１２に対応するように厚み方向に貫通する貫通孔２１（空間部）形成されている。この貫通孔２１（空間部）は、突起１１（突出部）を収容するように形成されている。なお、第一遊技盤２０の背面には、第一遊技盤２０に固定される遊技盤ユニット２５が組み付けられている。
【００２１】
続いて、内枠３に第一遊技盤２０を取り付けた時の状態を説明する。
第一遊技盤２０は、内枠３の前方側から取り付けられ、内枠３の後壁１０から突出する突起１１（突出部）の基部突起１２に、第一遊技盤２０の貫通孔２１（空間部）が挿入され、第一遊技盤２０の背面２０ａが内枠３の後壁１０に当接する。このとき、基部突起１２の外周面１２ｂは、貫通孔２１（空間部）の内周面２１ａと係合する。
【００２２】
このように、内枠３の後壁１０と第一遊技盤２０の背面２０ａが当接することにより、第一遊技盤の厚み方向（前後方向）の位置が支持（位置決め）され、基部突起１２の外周面１２ｂと第一遊技盤２０の貫通孔２１（空間部）の内周面２１ａとが係合することにより、第一遊技盤２０の盤面方向の位置が保持（位置決め）される。
【００２３】
また、後壁１０が厚み方向（前後方向）に位置決めの基準面になるため、前面枠５が内枠３に対して閉じた状態において、第一の厚みＦ（たとえば１９ｍｍ）を有する第一遊技盤２０が取り付けられた時、第一遊技盤２０の前面２０ｂ（盤面２ａ）と前面枠５に設けられる複層ガラス８とが所定の間隔Ｓ（例えば１３ｍｍ〜２５ｍｍ）になるように設定され、第一遊技盤２０は、内枠３に設けられる固定部材（図示せず）と後壁１０に挟持されることにより、内枠３に固定され取り付けられる。
【００２４】
次に、第二遊技盤３０について詳しく説明する。
第二遊技盤３０は、アクリルなどの樹脂板で形成され、図４（ｂ）に示すように、第一遊技盤２０より厚みの薄い第二の厚みｆ（例えば１０ｍｍ）を有して略方形状に形成され、突起１１（突出部）の係合突起１５に対応するように係合孔３１（係合部）が設けられている。そして、係合孔３１（係合部）は、係合突起１５の側面１５ｂと係合する大きさで、第二遊技盤３０に貫通形成される。
【００２５】
次に、内枠３に第二遊技盤３０を取り付けた時の状態を説明する。
図４（ｂ）に示すように、第二遊技盤３０は、内枠３の前方側から取り付けられ、内枠３の後壁１０から突出する突起１１（突出部）の係合突起１５が、第二遊技盤３０の係合孔３１（係合部）に挿入され、係合孔３１（係合部）と係合突起１５の側面１５ｂが係合する。このとき、係合突起１５が係合孔３１（係合部）に挿入しても基部突起１２は係合突起１５より径が大きく設定されているため、係合孔３１に挿入されず、第二遊技盤３０の背面３０ａは基部突起１２の前面１２ａに当接する。これにより第二遊技盤３０基部突起１２の所定の高さ（例えば第一遊技盤２０と第二遊技盤３０の厚みの差分）嵩上げされる。
【００２６】
このように、基部突起１２の前面１２ａと第二遊技盤３０の背面３０ａが当接することにより、第二遊技盤３０の厚み方向（前後方向）の位置が支持（位置決め）され、係合突起１５の側面１５ｂと係合孔３１（係合部）とが係合されることにより、第二遊技盤３０の盤面方向の位置が保持（位置決め）される。
【００２７】
また、第二遊技盤３０は後壁１０から突出する基部突起１２により嵩上げされるため、第二遊技盤３０の背面３０ａと当接する基部突起１２の前面１２ａが厚み方向（前後方向）に位置決めの基準面になり、前面枠５が内枠３に対して閉じた状態において、第一遊技盤２０より厚みの薄い第二の厚みｆ（例えば１０ｍｍ）を有する第二遊技盤３０が取り付けられた時、第二遊技盤３０の前面２０ｂ（盤面２ａ）と前面枠５に設けられる複層ガラス８とが所定の間隔Ｓ（例えば１３ｍｍ〜２５ｍｍ）となり、第二遊技盤３０の前面３０ｂが第一遊技盤２０を取り付けた時の第一遊技盤２０の前面２０ｂの位置と同一に形成される。そして、第二遊技盤３０は、内枠３に設けられる固定部材（図示せず）と後壁１０から突出する基部突起１２に挟持されることにより、内枠３に固定され取り付けられる。
【００２８】
このように、内枠３は、上述したごとく、第一の厚み（例えばベニヤなどの合板）を有する第一遊技盤２０の他に、第一遊技盤２０より厚みが薄い第二の厚み（例えばアクリルなどの樹脂板）を有する第二遊技盤３０を取り付けることができる。
【００２９】
次に、本実施例において、突起１１を前後２段の段付き円筒形状に形成したが、図５（ａ）に示すように、突起１１（突出部）は、基部突起１２のみで形成することもできる。内枠３に第一遊技盤２０を取り付けた時の状態は、基部突起１２が、第一遊技盤２０の背面２０ａに設けられる切欠き孔１２１（空間部）に挿入され、第一遊技盤２０の背面２０ａが内枠３の後壁１０に当接して、突起下部１２の外周面１２ｂと第一遊技盤２０の切欠き孔１２１（空間部）の内周面１２１ａと当接することにより、第一遊技盤２０の盤面方向の位置が保持され、第一遊技盤２０は、内枠３に設けられる固定部材（図示せず）と後壁１０に挟持されることにより、内枠３に固定され取り付けられる。
【００３０】
続いて、内枠３に第二遊技盤３０を取り付けた時の状態は、図５（ｂ）に示すように、係合突起１５を形成していないので第二遊技盤３０に係合孔３１（係合部）は必要なく、第二遊技盤３０の背面３０ａが基部突起１２の前面１２ａに当接し、基部突起１２の所定の高さ（例えば第一遊技盤２０と第二遊技盤３０の厚みの差分）嵩上げされ、第二遊技盤３０の厚み方向（前後方向）に対して支持される。この場合、盤面方向の保持をし、貫通孔が設けられない遊技領域内で補助的に嵩上げをする突起として設けることができる。そして、第二遊技盤３０は、内枠３に設けられる固定部材（図示せず）と内枠３に設けられる基部突起１２に挟持されることにより、内枠３に固定され取り付けられる。
【００３１】
本明細書において、第一遊技盤２０の空間部２１は突起１１（突出部）との干渉を回避する貫通孔を設けたが、これに限るものではなく切欠きとしても良い。
【００３２】
また、突起１１(突出部)の基部突起１２、係合突起１５は筒状形状（例えば円筒形状）にしたが、多角筒形状にしてもよい。この場合には、貫通孔２１（空間部）と基部突起１２，係合孔３１（係合部）と係合突起１５との嵌め間違いがなく確実に係合される。また、角があることにより第一遊技盤２０の貫通孔２１（空間部）と基部突起１２，係合孔３１（係合部）と係合突起１５とのガタが少なくなるので、盤面方向の保持が確実となる。
【００３３】
また、内枠に設けられる突出部１１は突起として設けたがこれに限るものではなく、後壁１０の外縁から突出し、遊技盤の側面に対向する上下左右の収容壁９を段状に設け突出部１１とすることもできる。このときには第二遊技盤３０の背面３０ａの当接する面積が広がるので厚み方向（前後方向）の支持が安定する。
【００３４】
本発明では遊技機の一例としてぱちんこ機について説明したが、他に例えばアレンジボール遊技機、雀球遊技機等の遊技機に適用することができ、上記実施例に限定されるものではなく、特許請求の範囲の趣旨を逸脱しない限りにおいて、目的、用途に応じて当業者の知識に基づく種々の変更が可能である。
【図面の簡単な説明】
【００３５】
【図１】ぱちんこ機の正面図である。
【図２】ぱちんこ機の側断面図である。
【図３】ぱちんこ機の上端側の要部拡大図である。
【図４】厚みの異なる遊技盤を取り付けた時の要部拡大図である。
【図５】変形例に係る厚みの異なる遊技盤を取り付けた時の要部拡大図である。
【符号の説明】
【００３６】
１  ぱちんこ機（遊技機）
２ａ  盤面
３  内枠
８  複層ガラス
９  収容壁
１０  後壁
１１  突起（突出部）
１２  基部突起
１２ａ  前面
１２ｂ  外周面
１５  係合突起
１５ｂ  側面
２０  第一遊技盤（遊技盤）
２０ａ  背面
２０ｂ  前面
２１  貫通孔（空間部）
２１ａ  内周面
３０  第二遊技盤（遊技盤）
３０ａ  背面
３０ｂ  前面
３１  係合孔（係合部）
１２１  切欠き孔（空間部）
１２１ａ  内周面
【図１】
2010029576.tif 000003
【図２】
2010029576.tif 000004
【図３】
2010029576.tif 000005
【図４】
2010029576.tif 000006
【図５】
2010029576.tif 000007